(57)【要約】【課題】利用者が住所を変更したときに自動的に住所変更処理を行う。【解決手段】固定装置４０1 は利用者Ｍの現在の住居に設置されて住所ＩＤ［１］が設定される一方、固定装置４０2 が引越し先の住居に設置されて住所ＩＤ［２］が設定されている。また、利用者端末２０が利用者Ｍに割り当てられ、端末ＩＤが設定されている。利用者端末２０が現在の住居に設置されたとき、固定装置４０1 から電力線を介して住所ＩＤ［１］が取得され、端末ＩＤと対応付けられて住所管理サーバ１０へ送出されて管理される。利用者Ｍが引越しを行い、利用者端末２０により固定装置４０2 の住所ＩＤ［２］が取得されて住所管理サーバ１０へ送信され、住所ＩＤ［１］が住所ＩＤ［２］に更新される。発送元端末３０により、端末ＩＤに対応する住所情報取得要求が住所管理サーバ１０へ送信され、同端末ＩＤに対応した住所ＩＤ［２］に基づく住所情報が取得される。【選択図】図３
2008293328.tif 000002
【特許請求の範囲】
【請求項１】
各建造物に個別に設置されると共に当該建造物の所在地に対応した所在地ＩＤが設定されている１つ又は複数の固定端末と、
各利用者又は各管理対象物に個別に割り当てられると共に当該利用者又は管理対象物に対応した端末ＩＤが設定され、前記各建造物に設置されたときに当該建造物内の前記固定端末から前記所在地ＩＤを取得し、該所在地ＩＤと前記端末ＩＤとを対応付けて通信回線へ送出する１つ又は複数の第１の通信端末と、
前記各第１の通信端末から前記通信回線を介して前記所在地ＩＤ及び端末ＩＤを受信して管理すると共に、前記所在地ＩＤに変更があったとき、管理している当該所在地ＩＤを更新する所在地管理サーバと、
前記各端末ＩＤが登録され、前記所在地管理サーバへ当該端末ＩＤに対応する所在地情報取得要求を送信し、当該端末ＩＤに対応した前記所在地ＩＤに基づく所在地情報を取得する１つ又は複数の第２の通信端末とから構成されていることを特徴とする所在地管理システム。
【請求項２】
前記各固定端末は、
第１の電力線通信手段と、
前記所在地ＩＤを前記第１の電力線通信手段から当該建造物内の電力線を経て当該第１の通信端末へ送出する所在地ＩＤ提供手段とから構成され、
前記各第１の通信端末は、
第２の電力線通信手段と、
当該建造物内の前記電力線から前記第２の電力線通信手段を介して前記所在地ＩＤを取得する所在地ＩＤ取得手段と、
該所在地ＩＤ取得手段により取得された前記所在地ＩＤと前記端末ＩＤとを対応付けて前記所在地管理サーバへ送出する送信手段とから構成されていることを特徴とする請求項１記載の所在地管理システム。
【請求項３】
前記所在地管理サーバは、
前記所在地ＩＤと端末ＩＤとを対応付けて記録するためのデータベースと、
前記各第１の通信端末から前記所在地ＩＤ及び端末ＩＤを受信して前記データベースに記録すると共に、新たに当該端末ＩＤに対応した所在地ＩＤを受信したときに該所在地ＩＤに更新する所在地ＩＤ登録更新手段と、
前記各第２の通信端末から前記所在地情報取得要求を受信したとき、当該端末ＩＤに基づいて前記データベースを検索し、該端末ＩＤに対応した前記所在地ＩＤに基づく前記所在地情報を当該第２の通信端末へ送信して提供する所在地ＩＤ検索提供手段とから構成されていることを特徴とする請求項１又は２記載の所在地管理システム。
【請求項４】
前記所在地ＩＤ検索提供手段に対して、前記所在地情報を当該第２の通信端末へ提供するか否かを当該第１の通信端末の利用者の指示に基づいて制御する提供制御手段が設けられていることを特徴とする請求項３記載の所在地管理システム。
【請求項５】
各利用者又は各管理対象物に個別に割り当てられると共に当該利用者又は管理対象物に対応した端末ＩＤが設定されている１つ又は複数の第１の通信端末と、
各建造物に個別に設置されると共に当該建造物の所在地に対応した所在地ＩＤが設定され、前記各第１の通信端末が前記各建造物に設置されたときに当該建造物内の前記第１の通信端末から前記端末ＩＤを取得し、該端末ＩＤと前記所在地ＩＤとを対応付けて通信回線へ送出する１つ又は複数の固定端末と、
前記各固定端末から前記通信回線を介して前記所在地ＩＤ及び端末ＩＤを受信して管理すると共に、前記所在地ＩＤに変更があったとき、管理している当該所在地ＩＤを更新する所在地管理サーバと、
前記各端末ＩＤが登録され、前記所在地管理サーバへ当該端末ＩＤに対応する所在地情報取得要求を送信し、当該端末ＩＤに対応した前記所在地ＩＤに基づく所在地情報を取得する１つ又は複数の第２の通信端末とから構成されていることを特徴とする所在地管理システム。
【請求項６】
前記各第１の通信端末は、
第１の電力線通信手段と、
前記端末ＩＤを前記第１の電力線通信手段から当該建造物内の電力線を経て当該固定端末へ送出する端末ＩＤ提供手段とから構成され、
前記固定端末は、
第２の電力線通信手段と、
当該建造物内の前記電力線から前記第２の電力線通信手段を介して前記端末ＩＤを取得する端末ＩＤ取得手段と、
該端末ＩＤ取得手段により取得された前記端末ＩＤと前記所在地ＩＤとを対応付けて前記所在地管理サーバへ送出する送信手段とから構成されていることを特徴とする請求項５記載の所在地管理システム。
【請求項７】
前記所在地管理サーバは、
前記所在地ＩＤと端末ＩＤとを対応付けて記録するためのデータベースと、
前記各固定端末から前記端末ＩＤ及び所在地ＩＤを受信して前記データベースに記録すると共に、新たに当該所在地ＩＤに対応した端末ＩＤを受信したときに該端末ＩＤに更新する端末ＩＤ登録更新手段と、
前記各第２の通信端末から前記所在地情報取得要求を受信したとき、当該端末ＩＤに基づいて前記データベースを検索し、該端末ＩＤに対応した前記所在地ＩＤに基づく前記所在地情報を当該第２の通信端末へ送信して提供する所在地ＩＤ検索提供手段とから構成されていることを特徴とする請求項５又は６記載の所在地管理システム。
【請求項８】
前記所在地ＩＤ検索提供手段に対して、前記所在地情報を当該第２の通信端末へ提供するか否かを当該第１の通信端末の利用者の指示に基づいて制御する提供制御手段が設けられていることを特徴とする請求項７記載の所在地管理システム。
【請求項９】
１つ又は複数の固定端末と、１つ又は複数の第１の通信端末と、所在地管理サーバと、１つ又は複数の第２の通信端末とから構成されている所在地管理システムに用いられる所在地管理方法であって、
前記各固定端末を各建造物に個別に設置すると共に、前記各固定端末に当該建造物の所在地に対応した所在地ＩＤを設定し、かつ、前記各第１の通信端末を各利用者又は各管理対象物に個別に割り当てると共に、前記各第１の通信端末に当該利用者又は管理対象物に対応した端末ＩＤを設定しておき、
前記各第１の通信端末が、前記各建造物に設置されたときに当該建造物内の前記固定端末から前記所在地ＩＤを取得し、該所在地ＩＤと前記端末ＩＤとを対応付けて通信回線へ送出する所在地ＩＤ・端末ＩＤ送出処理と、
前記所在地管理サーバが、前記各第１の通信端末から前記通信回線を介して前記所在地ＩＤ及び端末ＩＤを受信して管理すると共に、前記所在地ＩＤに変更があったとき、管理している当該所在地ＩＤを更新する所在地ＩＤ更新処理と、
前記各第２の通信端末が、前記所在地管理サーバへ前記端末ＩＤに対応する所在地情報取得要求を送信し、当該端末ＩＤに対応した前記所在地ＩＤに基づく所在地情報を取得する所在地情報取得処理とを行うことを特徴とする所在地管理方法。
【請求項１０】
１つ又は複数の第１の通信端末と、１つ又は複数の固定端末と、所在地管理サーバと、１つ又は複数の第２の通信端末とから構成されている所在地管理システムに用いられる所在地管理方法であって、
前記各第１の通信端末を各利用者又は各管理対象物に個別に割り当てると共に、前記各第１の通信端末に当該利用者又は管理対象物に対応した端末ＩＤを設定し、かつ、前記各固定端末を各建造物に個別に設置すると共に、前記各固定端末に当該建造物の所在地に対応した所在地ＩＤを設定しておき、
前記各固定端末が、前記各第１の通信端末が前記各建造物に設置されたときに当該建造物内の前記第１の通信端末から前記端末ＩＤを取得し、該端末ＩＤと前記所在地ＩＤとを対応付けて通信回線へ送出する端末ＩＤ・所在地ＩＤ送出処理と、
前記所在地管理サーバが、前記各固定端末から前記通信回線を介して前記所在地ＩＤ及び端末ＩＤを受信して管理すると共に、前記所在地ＩＤに変更があったとき、管理している当該所在地ＩＤを更新する所在地ＩＤ更新処理と、
前記各第２の通信端末が、前記所在地管理サーバへ当該端末ＩＤに対応する所在地情報取得要求を送信し、当該端末ＩＤに対応した前記所在地ＩＤに基づく所在地情報を取得する所在地情報取得処理とを行うことを特徴とする所在地管理方法。
【請求項１１】
コンピュータに請求項１乃至８のいずれか一に記載の所在地管理サーバを制御させるための所在地管理制御プログラム。
【発明の詳細な説明】
【技術分野】
【０００１】
この発明は、所在地管理システム、該所在地管理システムに用いられる所在地管理方法及び所在地管理制御プログラムに係り、たとえば、諸々の機関に所在地を登録している利用者（以下、ユーザともいう）が引越しなどで所在地（住所）を変更した場合や、レンタルされている製品の所在地を管理する場合などに用いて好適な所在地管理システム、該所在地管理システムに用いられる所在地管理方法及び所在地管理制御プログラムに関する。
【背景技術】
【０００２】
現代社会では、諸々の機関に住所を登録しているユーザが引越しなどで住所を変更したとき、住所変更の届出を各機関に対して行う必要がある。この場合、届出方法が各機関でまちまちであり、しかも、ユーザが実際に住所変更の届出を行う状態になったとき、各機関の連絡先が当初の連絡先と異なっていることがあるため、ユーザは各機関の連絡先を常に把握しておく必要があるが、これを実行することは困難である。よって、住所変更の届出もれが少なからず発生し、受取人不在の郵便物などが発生し、差出人に戻されることがある。このため、住所変更の届出をユーザに代行して行う技術が提案されている。
【０００３】
関連する技術としては、たとえば、特許文献１に記載されたものがある。
特許文献１に記載された取次サービスシステムでは、サーバにより、インターネット上にホームページが提供され、同インターネットを介して個人の引越し情報が取得される。取得された情報は、取次ぎ元の個人情報ファイルに記録され、個々の取次ぎ先の企業が、取次ぎ先企業ファイルに記録される。サーバは、定期的に取次ぎの申込みのあった件数を企業毎に指定のメールサーバに送信する。企業では、担当者がこれを見て必要な情報をダウンロードする。このような構成により、引越し先の新住所など、個人が所定の団体に通知しなければならない情報が、個人に代わって、必要とする団体に確実に短時間で取り次がれる。
【０００４】
また、特許文献２に記載された連絡先提示システムでは、利用者が携帯するバッジから送信される信号がバッジセンサにより検出され、位置検出サーバにより各利用者の所在地が検出される。また、連絡先検索サーバの連絡先情報格納部により、位置検出サーバにより検出可能な位置の連絡先と、各々の利用者に対してあらかじめ指定されたデフォルトの連絡先とが記憶される。そして、通信用クライアントから、利用者が連絡しようとする相手が指定された際、連絡先検索サーバにより、指定された相手の現時点における所在地の連絡先と、当該連絡相手のデフォルトの連絡先とが比較され、この比較結果に応じて、通信用クライアントの表示部への連絡先の提示内容が変更される。
【特許文献１】特開２００４−３３６３９７号公報（要約書、図１）
【特許文献２】特開平１１−０８８４９５号公報（要約書、図１）
【発明の開示】
【発明が解決しようとする課題】
【０００５】
しかしながら、上記の関連する技術では、次のような問題点があった。
すなわち、特許文献１に記載された取次サービスシステムでは、個人がサーバに対して事前に通知先を登録しておく必要があるため、これが漏れると、住所変更漏れが発生するという問題点がある。
【０００６】
特許文献２に記載された連絡先提示システムでは、バッジセンサを多数の箇所に設ける必要があり、特に、バッジセンサで検知しにくい場所（たとえば、壁で区切られている場所など）では、多数のバッジセンサを設置する必要があるため、構成が煩雑になるという問題点がある。
【０００７】
この発明は、上述の事情に鑑みてなされたもので、ユーザが引越しなどで住所を変更したときでも、同ユーザが操作することなく、自動的に住所変更の手続きを行い、宛先不明となる郵便物などをなくして変更後の住所への配送が可能となる所在地管理システム、同所在地管理システムに用いられる所在地管理方法及び所在地管理制御プログラムを提供することを目的としている。
【課題を解決するための手段】
【０００８】
上記課題を解決するために、この発明は、所在地管理システムに係り、各建造物に個別に設置されると共に当該建造物の所在地に対応した所在地ＩＤが設定されている１つ又は複数の固定端末と、各利用者又は各管理対象物に個別に割り当てられると共に当該利用者又は管理対象物に対応した端末ＩＤが設定され、前記各建造物に設置されたときに当該建造物内の前記固定端末から前記所在地ＩＤを取得し、該所在地ＩＤと前記端末ＩＤとを対応付けて通信回線へ送出する１つ又は複数の第１の通信端末と、前記各第１の通信端末から前記通信回線を介して前記所在地ＩＤ及び端末ＩＤを受信して管理すると共に、前記所在地ＩＤに変更があったとき、管理している当該所在地ＩＤを更新する所在地管理サーバと、前記各端末ＩＤが登録され、前記所在地管理サーバへ当該端末ＩＤに対応する所在地情報取得要求を送信し、当該端末ＩＤに対応した前記所在地ＩＤに基づく所在地情報を取得する１つ又は複数の第２の通信端末とから構成されていることを特徴としている。
【０００９】
また、この発明は、所在地管理システムに係り、各利用者又は各管理対象物に個別に割り当てられると共に当該利用者又は管理対象物に対応した端末ＩＤが設定されている１つ又は複数の第１の通信端末と、各建造物に個別に設置されると共に当該建造物の所在地に対応した所在地ＩＤが設定され、前記各第１の通信端末が前記各建造物に設置されたときに当該建造物内の前記第１の通信端末から前記端末ＩＤを取得し、該端末ＩＤと前記所在地ＩＤとを対応付けて通信回線へ送出する１つ又は複数の固定端末と、前記各固定端末から前記通信回線を介して前記所在地ＩＤ及び端末ＩＤを受信して管理すると共に、前記所在地ＩＤに変更があったとき、管理している当該所在地ＩＤを更新する所在地管理サーバと、前記各端末ＩＤが登録され、前記所在地管理サーバへ当該端末ＩＤに対応する所在地情報取得要求を送信し、当該端末ＩＤに対応した前記所在地ＩＤに基づく所在地情報を取得する１つ又は複数の第２の通信端末とから構成されていることを特徴としている。
【発明の効果】
【００１０】
この発明の構成によれば、第１の通信端末が利用者又は管理対象物の現在の建造物に設置されたとき、固定端末から所在地ＩＤが取得され、端末ＩＤと対応付けられて所在地管理サーバへ送出されて管理され、この後、同利用者又は管理対象物が移動し、第１の通信端末により固定端末から新たな所在地ＩＤが取得されて所在地管理サーバへ送信され、従前の所在地ＩＤが新たな所在地ＩＤに更新され、第２の通信端末により、端末ＩＤに対応する所在地情報取得要求が所在地管理サーバへ送信され、同端末ＩＤに対応した所在地ＩＤに基づく所在地情報が取得されるので、利用者又は管理対象物の所在地を登録及び更新する作業を省略でき、所在地変更の手続き漏れを防止できる。
【００１１】
第１の通信端末が利用者又は管理対象物の現在の建造物に設置されたとき、第１の通信端末から固定端末に端末ＩＤが取得され、所在地ＩＤと対応付けられて所在地管理サーバへ送信されて管理され、この後、同利用者又は管理対象物が移動し、第１の通信端末から移動先の固定端末に端末ＩＤが取得されて所在地管理サーバへ送信され、従前の所在地ＩＤが新たな所在地ＩＤに更新され、第２の通信端末により、端末ＩＤに対応する所在地情報取得要求が所在地管理サーバへ送信され、同端末ＩＤに対応した所在地ＩＤに基づく所在地情報が取得されるので、利用者又は管理対象物の所在地を登録及び更新する作業を省略でき、所在地変更の手続き漏れを防止できる。
【発明を実施するための最良の形態】
【００１２】
利用者端末が利用者の現在の住居に設置されたとき、固定装置から電力線を介して住所ＩＤが取得され、端末ＩＤと対応付けられて住所管理サーバへ送出されて管理され、この後、同利用者が引越しを行い、利用者端末により引越し先の固定装置から電力線を介して引越し先の住所ＩＤが取得されて住所管理サーバへ送信され、住所ＩＤが更新され、発送元端末により、端末ＩＤに対応する住所情報取得要求が住所管理サーバへ送信され、同端末ＩＤに対応した住所ＩＤに基づく住所情報が取得される所在地管理システム、同所在地管理システムに用いられる所在地管理方法及び所在地管理制御プログラムを提供する。
【実施例１】
【００１３】
図１は、この発明の第１の実施例である所在地管理システムの要部の電気的構成を示すブロック図である。
この例の所在地管理システムは、同図に示すように、住所管理サーバ１０と、利用者端末２０と、発送元端末３０と、固定装置４０とから構成されている。固定装置４０は、たとえば、２つの固定装置４０1 ，４０2 として設けられ、利用者Ｍの自宅や引越し先などの各建造物に個別に設置されると共に同建造物の所在地に対応した住所ＩＤ（所在地ＩＤ）が設定され、住所ＩＤ提供部４１と、ＰＬＣ（Power Line Communication、電力線通信）モデム４２とから構成されている。住所ＩＤ提供部４１は、設定されている住所ＩＤをＰＬＣモデム４２から同建造物内の電力線を経て利用者端末２０へ送出する。
【００１４】
利用者端末２０は、各利用者Ｍに個別に割り当てられると共に同利用者Ｍに対応した端末ＩＤが設定され、同利用者Ｍの自宅や引越し先などの各建造物に設置されたときに同建造物内の固定装置４０から住所ＩＤを取得し、同住所ＩＤと同端末ＩＤとを対応付けて通信回線（たとえば、インターネット）ＮＷを経て住所管理サーバ１０へ送出する。特に、この実施例では、利用者端末２０は、住所ＩＤ取得部２１と、送信部２２と、ＰＬＣモデム２３とから構成されている。ＰＬＣモデム２３は、図示しない商用コンセントに差し込まれ、同建造物内の電力線を介して固定装置４０と通信を行う。住所ＩＤ取得部２１は、固定装置４０から同建造物内の電力線及びＰＬＣモデム２３を介して住所ＩＤを取得する。送信部２２は、住所ＩＤ取得部２１により取得された住所ＩＤと上記端末ＩＤとを対応付けて住所管理サーバ１０へ送出する。
【００１５】
住所管理サーバ１０は、たとえば、郵便局などに設置されているパーソナルコンピュータなどの情報処理装置であり、同サーバ１０全体を制御するコンピュータとしてのＣＰＵ（中央処理装置）１０ａ及び同ＣＰＵ１０ａを動作させるための所在地管理制御プログラムが記録されたＲＯＭ（リード・オンリ・メモリ）１０ｂを有し、利用者端末２０から通信回線ＮＷを介して住所ＩＤ及び端末ＩＤを受信し、これらを対応付けて管理すると共に、同住所ＩＤに変更があったとき、管理している同住所ＩＤを更新する。特に、この実施例では、住所管理サーバ１０は、登録部１１と、データベース１２と、住所提供部１３と、住所検索部１４と、提供制御部１５とを備えている。データベース１２は、住所ＩＤと端末ＩＤとを対応付けて記録するためのものである。登録部１１は、利用者端末２０から住所ＩＤ及び端末ＩＤを受信してデータベース１２に記録すると共に、新たに同端末ＩＤに対応した住所ＩＤを受信したときに同住所ＩＤに更新する。
【００１６】
住所提供部１３は、発送元端末３０から住所情報取得要求（端末ＩＤ）を受信したとき、利用者Ｍの端末ＩＤを住所検索部１４へ送出し、同住所検索部１４は、同端末ＩＤに基づいてデータベース１２に登録されているレコードを検索し、同端末ＩＤに対応する住所ＩＤに基づく住所情報ａｄを同住所提供部１３を介して同発送元端末３０へ送信して提供する。提供制御部１５は、住所提供部１３に対して、住所情報ａｄを発送元端末３０へ提供するか否かを利用者端末２０の利用者Ｍの指示に基づいて制御する。この利用者Ｍの指示は、同利用者Ｍがあらかじめ提供制御部１５に登録しておいても良く、また、住所情報取得要求を受信した時点で、同利用者Ｍへ住所情報ａｄの提供の可否を問い合わせるようにしてもよい。発送元端末３０は、たとえば郵便物Ｌを発送する業者などに所有され、利用者端末２０の端末ＩＤがあらかじめ登録され、発送元Ｓの操作により、住所管理サーバ１０へ同端末ＩＤに対応する住所情報取得要求を送信し、同端末ＩＤに対応した住所ＩＤに基づく住所情報ａｄを図示しない通信回線を介して取得する。なお、利用者端末２０、発送元端末３０及び固定装置４０は、同図１では、それぞれ１つで表示されているが、通常、複数存在する。
【００１７】
図２は、図１中の利用者端末２０から送出される端末ＩＤ及び住所ＩＤのデータ形式の例を示す図である。
端末ＩＤ及び住所ＩＤは、同図２に示すように、それぞれ、端末ＩＤ“○○○○”及び住所ＩＤ“△△△△”から構成されている。
【００１８】
図３は、図１の所在地管理システムの動作を説明するシーケンス図である。
この図を参照して、この例の所在地管理システムに用いられる所在地管理方法の処理内容について説明する。
この所在地管理システムでは、図３に示すように、固定装置４０1 は、利用者Ｍの現在の住居に設置されて所在地に対応した住所ＩＤ［１］が設定される一方、固定装置４０2 が、同利用者Ｍの引越し先の住居に設置されて所在地に対応した住所ＩＤ［２］が設定されている。また、利用者端末２０が利用者Ｍに割り当てられる（取得）と共に、同利用者端末２０に同利用者Ｍに対応した端末ＩＤが設定される（ステップＡ１）。
【００１９】
そして、利用者端末２０が利用者Ｍの現在の住居に設置されたとき、同利用者端末２０により、同住居内の固定装置４０1 から電力線を経て住所ＩＤ［１］が取得され（ステップＡ２）、同住所ＩＤ［１］と端末ＩＤとが対応付けられて通信回線ＮＷを経て住所管理サーバ１０へ送出される（ステップＡ３、住所ＩＤ・端末ＩＤ送出処理）。住所管理サーバ１０により、利用者端末２０から通信回線ＮＷを介して住所ＩＤ［１］及び端末ＩＤが受信されて対応付けて管理される（ステップＡ４）。また、利用者Ｍによる定期購読や請求書などの送付先が発送元端末３０に登録される際、利用者端末２０から、送付先住所に代えて、端末ＩＤが図示しない通信回線を介して同発送元端末３０に登録される（ステップＡ５）。
【００２０】
この後、利用者Ｍが固定装置４０2 の設けられている住居へ引越しを行い（ステップＡ６）、利用者端末２０により同固定装置４０2 から電力線を経て住所ＩＤ［２］が取得され（ステップＡ７）、住所管理サーバ１０へ送信される（ステップＡ８）。住所管理サーバ１０では、管理（登録）されている住所ＩＤ［１］が住所ＩＤ［２］に更新される（ステップＡ９、住所ＩＤ更新処理）。発送元端末３０により、端末ＩＤに対応する住所情報取得要求が住所管理サーバ１０へ送信され、同住所管理サーバ１０から同端末ＩＤに対応した住所ＩＤ［２］に基づく住所情報（所在地情報）が取得される（ステップＡ１０，Ａ１１、所在地情報取得処理）。これにより、利用者Ｍが引越しに際して住所変更の手続きをしなくても、発送元端末３０で同利用者Ｍの現在の住所が取得され、郵便物Ｌが発送される（ステップＡ１０）。
【００２１】
以上のように、この第１の実施例では、利用者端末２０が利用者Ｍの現在の住居に設置されたとき、固定装置４０1 から電力線を介して住所ＩＤ［１］が取得され、端末ＩＤと対応付けられて住所管理サーバ１０へ送出されて管理され、この後、同利用者Ｍが引越しを行い、利用者端末２０により固定装置４０2 から電力線を介して住所ＩＤ［２］が取得されて住所管理サーバ１０へ送信され、住所ＩＤ［１］が住所ＩＤ［２］に更新され、発送元端末３０により、端末ＩＤに対応する住所情報取得要求が住所管理サーバ１０へ送信され、同端末ＩＤに対応した住所ＩＤ［２］に基づく住所情報が取得されるので、利用者Ｍが手動で住所を登録及び更新する作業が省略可能となり、住所変更の手続き漏れが防止される。
【００２２】
また、固定装置４０1 から電力線を介して住所ＩＤ［１］が取得されると共に、固定装置４０2 から電力線を介して住所ＩＤ［２］が取得されるので、電力線の配線のある住居であれば、固定装置４０1 ，４０2 の設置、及び利用者端末２０の取得で準備が済み、適用可能範囲が広い。また、発送元Ｓは、郵便物Ｌなどを発送しようとするときにだけ、発送元端末３０により、住所情報ａｄの取得を試みることになり、利用者Ｍは、その際にのみ住所情報ａｄを同発送元端末３０へ提供するか否かを判断して提供制御部１５に指示すれば良いため、同利用者Ｍが住所変更の通知先を管理する必要がない。
【実施例２】
【００２３】
図４は、この発明の第２の実施例である所在地管理システムの要部の電気的構成を示すブロック図であり、第１の実施例を示す図１中の要素と共通の要素には共通の符号が付されている。
この例の所在地管理システムでは、同図４に示すように、図１中の利用者端末２０及び固定装置４０に代えて、異なる構成の利用者端末２０Ａ及び固定装置４０Ａが設けられている。利用者端末２０Ａは、各利用者Ｍに個別に割り当てられると共に同利用者Ｍに対応した端末ＩＤが設定され、端末ＩＤ提供部２４と、ＰＬＣモデム２５とから構成されている。端末ＩＤ提供部２４は、端末ＩＤをＰＬＣモデム２５から利用者Ｍの自宅や引越し先などの建造物内の電力線を経て固定装置４０Ａへ送出する。
【００２４】
固定装置４０Ａは、たとえば、２つの固定装置４０1 Ａ，４０2 Ａとして設けられ、利用者Ｍの自宅や引越し先などの各建造物に個別に設置されると共に同建造物の所在地に対応した住所ＩＤ（所在地ＩＤ）が設定され、利用者端末２０Ａが同各建造物に設置されたときに同利用者端末２０Ａから端末ＩＤを取得し、同端末ＩＤと住所ＩＤとを対応付けて通信回線ＮＷを経て住所管理サーバ１０へ送出する。特に、この実施例では、固定装置４０Ａは、端末ＩＤ取得部４３と、送信部４４と、ＰＬＣモデム４５とから構成されている。端末ＩＤ取得部４３は、同建造物内の電力線からＰＬＣモデム４５を介して端末ＩＤを取得する。送信部４４は、端末ＩＤ取得部４３により取得された端末ＩＤと上記住所ＩＤとを対応付けて住所管理サーバ１０へ送出する。また、住所管理サーバ１０は、特に、この実施例では、登録部１１により、固定装置４０Ａから通信回線ＮＷを介して住所ＩＤ及び端末ＩＤを受信する。他は、図１と同様の構成である。
【００２５】
この所在地管理システムでは、第１の実施例と同様に、固定装置４０1 Ａは、利用者Ｍの現在の住居に設置されて所在地に対応した住所ＩＤ［１］が設定される一方、固定装置４０2 Ａが、同利用者Ｍの引越し先の住居に設置されて所在地に対応した住所ＩＤ［２］が設定されている。また、利用者端末２０Ａが利用者Ｍに割り当てられると共に、同利用者端末２０Ａに同利用者Ｍに対応した端末ＩＤが設定される。そして、利用者端末２０Ａが利用者Ｍの現在の住居に設置されたとき、固定装置４０1 Ａにより、同利用者端末２０Ａから電力線を経て端末ＩＤが取得され、同端末ＩＤと住所ＩＤ［１］とが対応付けられて通信回線ＮＷを経て住所管理サーバ１０へ送出される（端末ＩＤ・住所ＩＤ送出処理）。住所管理サーバ１０により、固定装置４０1 Ａから通信回線ＮＷを介して住所ＩＤ［１］及び端末ＩＤが受信されて対応付けて管理される。また、利用者Ｍによる定期購読や請求書などの送付先が発送元端末３０に登録される際、利用者端末２０Ａから、送付先住所に代えて、端末ＩＤが図示しない通信回線を介して同発送元端末３０に登録される。
【００２６】
この後、利用者Ｍが固定装置４０2 Ａの設けられている住居へ引越しを行い、同固定装置４０2 Ａにより、利用者端末２０Ａから電力線を経て端末ＩＤが取得され、同端末ＩＤと住所ＩＤ［２］とが対応付けられて通信回線ＮＷを経て住所管理サーバ１０へ送信される。住所管理サーバ１０では、管理（登録）されている住所ＩＤ［１］が住所ＩＤ［２］に更新される（所在地ＩＤ更新処理）。発送元端末３０により、端末ＩＤに対応する住所情報取得要求が住所管理サーバ１０へ送信され、同住所管理サーバ１０から同端末ＩＤに対応した住所ＩＤ［２］に基づく住所情報（所在地情報）が取得される（所在地情報取得処理）。これにより、利用者Ｍが引越しに際して住所変更の手続きをしなくても、発送元端末３０で同利用者Ｍの現在の住所が取得され、郵便物Ｌが発送される。
【００２７】
以上のように、この第２の実施例では、利用者端末２０Ａが利用者Ｍの現在の住居に設置されたとき、利用者端末２０Ａから電力線を介して固定装置４０1 Ａに端末ＩＤが取得され、住所ＩＤ［１］と対応付けられて住所管理サーバ１０へ送信されて管理され、この後、同利用者Ｍが引越しを行い、利用者端末２０Ａから電力線を介して固定装置４０2 Ａに端末ＩＤが取得されて住所管理サーバ１０へ送信され、住所ＩＤ［１］が住所ＩＤ［２］に更新され、発送元端末３０により、端末ＩＤに対応する住所情報取得要求が住所管理サーバ１０へ送信され、同端末ＩＤに対応した住所ＩＤ［２］に基づく住所情報が取得されるので、第１の実施例と同様に、利用者Ｍが手動で住所を登録及び更新する作業が省略可能となり、住所変更の手続き漏れが防止される。
【００２８】
また、利用者端末２０Ａから電力線を介して固定装置４０1 Ａに端末ＩＤが取得されると共に、同利用者端末２０Ａから電力線を介して固定装置４０2 Ａに端末ＩＤが取得されるので、電力線の配線のある住居であれば、固定装置４０1 Ａ，４０2 Ａの設置、及び利用者端末２０Ａの取得で準備が済み、適用可能範囲が広い。また、第１の実施例と同様に、発送元Ｓは、郵便物Ｌなどを発送しようとするときにだけ、発送元端末３０により、住所情報ａｄの取得を試みることになり、利用者Ｍは、その際にのみ住所情報ａｄを同発送元端末３０へ提供するか否かを判断して提供制御部１５に指示すれば良いため、同利用者Ｍが住所変更の通知先を管理する必要がない。
【００２９】
以上、この発明の実施例を図面により詳述してきたが、具体的な構成は同実施例に限られるものではなく、この発明の要旨を逸脱しない範囲の設計の変更などがあっても、この発明に含まれる。
たとえば、利用者端末２０，２０Ａは、専用の端末としても良いが、電話機やパソコンなどの機器に含まれていてもよい。利用者端末２０，２０Ａと住所管理サーバ１０との間の通信については、インターネットの他、電力線通信を利用しても良いし、その他の通信手段を利用しても良い。また、図１中の固定装置４０（４０1 ，４０2 ）に住所ＩＤ［１］，［２］を記録した記憶媒体を設け、同固定装置４０に利用者端末２０を接続することにより、同利用者端末２０が住所ＩＤ［１］，［２］を取得するようにしても良い。また、図４中の利用者端末２０Ａに端末ＩＤを記録した記憶媒体を設け、同利用者端末２０Ａを固定装置４０Ａ（４０1 Ａ，４０2 Ａ）に接続することにより、同固定装置４０Ａが端末ＩＤを取得するようにしても良い。
【産業上の利用可能性】
【００３０】
この発明は、利用者が住所を変更したときに自動的に住所変更処理を行う場合全般に適用できる他、たとえば、電気機器（管理対象物）などの棚卸しを自動的に行う場合や、レンタルされた電気機器の所在地の追跡など、所在地に基づいて管理及び支援を行うシステムに適用できる。
【図面の簡単な説明】
【００３１】
【図１】この発明の第１の実施例である所在地管理システムの要部の電気的構成を示すブロック図である。
【図２】図１中の利用者端末２０から送出される端末ＩＤ及び住所ＩＤのデータ形式の例を示す図である。
【図３】図１の所在地管理システムの動作を説明するシーケンス図である。
【図４】この発明の第２の実施例である所在地管理システムの要部の電気的構成を示すブロック図である。
【符号の説明】
【００３２】
１０      住所管理サーバ（所在地管理サーバ）
１０ａ      ＣＰＵ（中央処理装置）
１０ｂ      ＲＯＭ（リード・オンリ・メモリ）
１１      登録部（所在地ＩＤ登録更新手段）
１２      データベース
１３      住所提供部（所在地ＩＤ検索提供手段の一部）
１４      住所検索部（所在地ＩＤ検索提供手段の一部）
１５      提供制御部（提供制御手段）
２０，２０Ａ      利用者端末（第１の通信端末）
２１      住所ＩＤ取得部（所在地ＩＤ取得手段）
２２      送信部（送信手段）
２３，２５，４２，４５      ＰＬＣ（Power Line Communication、電力線通信）モデム（電力線通信手段）
２４      端末ＩＤ提供部（端末ＩＤ提供手段）
３０      発送元端末（第２の通信端末）
４０，４０Ａ，４０1 ，４０2 ，４０1 Ａ，４０2 Ａ      固定装置（固定端末）
４１      住所ＩＤ提供部（所在地ＩＤ提供手段）
４３      端末ＩＤ取得部（端末ＩＤ取得手段）
４４      送信部（送信手段）
【図１】
2008293328.tif 000003
【図２】
2008293328.tif 000004
【図３】
2008293328.tif 000005
【図４】
2008293328.tif 000006